(57)【要約】【課題】本考案は、運動選手を対象とした減圧訓練施設のみならず、アパートやマンションその他の狭小住宅の一角にも設置する低圧室において、ドア開閉を右勝手及び左勝手何れも組み立て自在な低圧室を提供するためのものである。【解決手段】本考案は、エンドプレートとシェルプレート並びにドアプレートの三点で構成する低圧室本体において、エンドプレートは左右対称形で、シェルプレートは上下対称形で、ドアプレートは上下対称形で成る部品で構成し、これらの部品を並べ替えてドア開閉を右勝手及び左勝手何れも自在に組み立てることができるようにした。【選択図】  図４
0003119023.tif 000002
【実用新案登録請求の範囲】
【請求項１】
エンドプレートと筐体並びにドアで構成する低圧室本体において、ドアの右勝手及び左勝手が組み立て自在な低圧室。
【考案の詳細な説明】
【技術分野】
【０００１】近年、高地環境における人の生理的意義の研究が盛んになってきた。本考案は、高地気圧環境を平地で実現するための低圧室に関するものである。
【背景技術】
【０００２】
【特許文献１】従来、特公平２−４２９９２においては運動用気密室、特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６においては地下又は半地下に設置された運動用大規模減圧訓練施設が提案されているものの、これらは何れも運動することを前提とした大規模低圧室の構造に関するものである。
【非特許文献１】また、実開平２−１１８５７１においては疑似高地トレーニングを想定した減圧訓練施設が提案されているものの、これも運動することを前提とした大規模低圧室の構造に関するものである。
【考案の開示】
【考案が解決しようとする課題】
【０００３】本考案は、運動選手を対象とした減圧訓練施設のみならず、アパートやマンションその他の狭小住宅の一角にも設置する低圧室において、ドア開閉を右勝手及び左勝手何れも組み立て自在な低圧室を提供するためのものである。
【課題を解決するための手段】
【０００４】本考案は、エンドプレートとシェルプレート並びにドアプレートの三点で構成する低圧室本体において、エンドプレートは左右対称形で、シェルプレートは上下対称形で、ドアプレートは上下対称形で成る部品で構成し、これらの部品を並べ替えて組み立てることにより、ドア開閉を右勝手及び左勝手何れも組み立て自在な組立型低圧室とした。
【考案の効果】
【０００５】本考案によって、アパートやマンションその他の狭小住宅の一角にも設置する低圧室において、当該建物の間取りに応じて低圧室のドア開閉を右勝手及び左勝手何れも組み立て自在な低圧室を提供できるようになった。
【考案を実施するための最良の形態】
【０００６】本考案を実施するための最良の形態について説明する。本考案の組み立て自在な低圧室は、次の三点の主要構成部品で構成される。即ち、図１に示すエンドプレート、図２に示すシェルプレート、並びに、図３に示すドアプレートである。エンドプレート２は左右対称形で、該エンドプレート内壁の横方向に走るエンドプレートメインリブ１０と縦方向に走るエンドプレートサブリブ１１で外圧に耐え得るように補強される。又、シェルプレート３も上下対称形で、該シェルプレート内壁の縦方向に走るシェルプレートメインリブ１７と横方向に走るシェルプレートサブリブ１８によって外圧に耐え得るように補強される。さらに、ドアプレート４も上下対称形で、該ドアプレート内壁の横方向に走るドアプレートメインリブ２４と縦方向に走るドアプレートサブリブ２５によって外圧に耐え得るように補強される。
【実施例】
【０００７】本考案の組み立て自在な低圧室の組み立て方法について詳細に説明する。先ず、図４に基づいて、ドア開閉を右勝手にする場合の組み立て方法について説明する。この場合、主要構成部品である三点の部品は、左からエンドプレート２、シェルプレート３並びにドアプレート４の順に並べて組み立てられる。エンドプレート２とシェルプレート３とはエンドプレートフランジ５とシェルプレートフランジ１２とが当該フランジ面に予め設けてあるボルト穴６、１３にボルト・ナット（図示せず）を取り付けて緊結される。この場合、エンドプレートフランジ５とシェルプレートフランジ１２との外周には低圧室の気密を保持するためスポンジパッキン（図示せず）が配される。【０００８】次に、シェルプレート３とドアプレート４の組み立て方法であるが、シェルプレート３の右端にはドアプレート４を開閉自在に回転支持するため軸受ユニット２６が緊結され、該軸受ユニット２６にはシャフト２７が挿入され、該シャフト２７の上下端にはドアアーム２８が緊結される。該ドアアーム２８の端部には回転自在なピンブラケット２９がそれぞれ挿入され、該ピンブラケット２９はドアプレート４の上下端部とそれぞれ緊結される。このようにして、ドア開閉が右勝手の低圧室が組み立てられる。【０００９】ドア開閉を左勝手にする場合の組み立て方法について説明する。この場合、主要構成部品である三点の部品は、右からエンドプレート２、シェルプレート３並びにドアプレート４の順に並べて組み立てられる。エンドプレート２は左右対称形なので上述の右勝手組み立てとは逆向きに組み立てても支障はない。エンドプレート２とシェルプレート３とはエンドプレートフランジ５とシェルプレートフランジ１２とが当該フランジ面に予め設けてあるボルト穴６、１３にボルト・ナット（図示せず）を取り付けて緊結される。この場合、エンドプレートフランジ５とシェルプレートフランジ１２との外周には低圧室の気密を保持するためスポンジパッキン（図示せず）が配される。【００１０】次に、シェルプレート３とドアプレート４の組み立て方法であるが、ドアプレート４は上述の如く上下対称形なので、上述の右勝手組み立てとは倒立の状態で組み立てても支障はない。シェルプレート３の左端には、右勝手組み立てと同様に、ドアプレート４を開閉自在に回転支持するため軸受ユニット２６が緊結され、該軸受ユニット２６にはシャフト２７が挿入され、該シャフト２７の上下端にはドアアーム２８が緊結される。該ドアアーム２８の端部には回転自在なピンブラケット２９がそれぞれ挿入され、該ピンブラケット２９はドアプレート４の上下端部とそれぞれ緊結される。このようにして、ドア開閉が左勝手の低圧室が組み立てられる。
【産業上の利用可能性】
【００１１】本考案によって、建物の間取りに応じて低圧室のドア開閉を右勝手及び左勝手何れも組み立て自在な低圧室を提供できるようになり、アパートやマンションその他の狭小住宅の一角に設置する場合のみならず、低圧室サービスショップ等に設置する場合においても、低圧室設置の自由度が大いに広がった。
【図面の簡単な説明】
【００１２】
【図１】  エンドプレート
【図２】  シェルプレート
【図３】  ドアプレート
【図４】  ドア開閉が右勝手の組立図
【図５】  ドア開閉が左勝手の組立図
【符号の説明】
【００１３】１  低圧室本体                          ２  エンドプレート
３  シェルプレート                      ４  ドアプレート
５  エンドプレートフランジ              ６  ボルト穴
７  エンドプレート開口部                ８  サイトグラス
９  サイトグラスホルダー                １０  エンドプレートメインリブ
１１  エンドプレートサブリブ            １２  シェルプレートフランジ
１３  ボルト穴                          １４  シェルプレート開口部
１５  サイトグラス                      １６  サイトグラスホルダー
１７  シェルプレートメインリブ          １８  シェルプレートサブリブ
１９  ドアプレートフランジ              ２０  ドアプレート開口部
２１  サイトグラス                      ２２  サイトグラスホルダー
２３  ドアプレートメインリブ            ２４  ドアプレートサブリブ
２５  軸受ユニット                      ２６  シャフト
２７  ドアアーム                        ２８  ピンブラケット
【図１】
0003119023.tif 000003
【図２】
0003119023.tif 000004
【図３】
0003119023.tif 000005
【図４】
0003119023.tif 000006
【図５】
0003119023.tif 000007